(57)【特許請求の範囲】
【請求項１】
環状のステータコアに発電コイルを巻装したステータと、該ステータの外周をロータヨークの筒部が包囲していて該筒部の内周に永久磁石を支持させたロータと、前記環状のステータコアを外周に固定している筒状のボスと、前記ロータヨークの底部の中心に取り付けられて前記ボスの内周を軸受を介して回転自在に貫通する回転軸と、前記ロータヨークの開口端側で前記回転軸に直交する向きで且つ前記回転軸を回転自在に貫通させて前記ボスの端部に一体に設けられているステータ取付けプレートと、前記ロータヨークの筒部内に前記回転軸の方向に冷却風が通り抜けるように前記ステータ取付けプレートと前記ロータヨークとにそれぞれ設けられた通風口と、前記各通風口を経て前記ロータヨークの筒部内を前記冷却風が通り抜けるように前記ロータヨーク側に設けられたファンと、前記ステータ取付けプレート側に設けられて前記発電コイルからの発電出力を調整するレギュレータとを備え、前記レギュレータは、レギュレータホルダーと該レギュレータホルダーに設けられた凹部内に組み込まれて樹脂でモールドされたレギュレータ本体とからなっていて前記ステータ取付プレートに固定され、前記レギュレータホルダーの前記凹部と反対側の面に複数の放熱フィンが形成されて、これら放熱フィン間に前記ステータ取付けプレートの前記通風口に冷却風を送り込む複数の放熱フィン間通風通路が形成されているレギュレータ付きアウターロータ型磁石発電機において、
前記レギュレータは、前記レギュレータホルダーの凹部を前記ステータ取付プレート側に向けて配置されていて、前記レギュレータ本体をモールドしている樹脂の外面が前記ステータ取付けプレートに対向配置され、
前記樹脂の外面と前記ステータ取付プレートとの間に、前記樹脂の外面を横切って前記ステータ取付けプレートの前記通風口に至るモールド樹脂側通風通路が設けられているレギュレータ付きアウターロータ型磁石発電機。
【請求項２】
環状のステータコアに発電コイルを巻装したステータと、該ステータの外周をロータヨークの筒部が包囲していて該筒部の内周に永久磁石を支持させたロータと、前記環状のステータコアを外周に固定している筒状のボスと、前記ロータヨークの底部の中心に取り付けられて前記ボスの内周を軸受を介して回転自在に貫通する回転軸と、前記ロータヨークの開口端側で前記回転軸に直交する向きで且つ前記回転軸を回転自在に貫通させて前記ボスの端部に一体に設けられているステータ取付けプレートと、前記ロータヨークの筒部内に前記回転軸の方向に冷却風が通り抜けるように前記ステータ取付けプレートと前記ロータヨークとにそれぞれ設けられた通風口と、前記各通風口を経て前記ロータヨークの筒部内を前記冷却風が通り抜けるように前記ロータヨーク側に設けられたファンと、前記ステータ取付けプレート側に設けられて前記発電コイルからの発電出力を調整するレギュレータとを備え、前記レギュレータは、レギュレータホルダーと該レギュレータホルダーに設けられた凹部内に組み込まれて樹脂でモールドされたレギュレータ本体とからなっていて前記ステータ取付プレートに固定され、前記レギュレータホルダーの前記凹部と反対側の面に複数の放熱フィンが形成されて、これら放熱フィン間に前記ステータ取付けプレートの前記通風口に冷却風を送り込む複数の放熱フィン間通風通路が形成されているレギュレータ付きアウターロータ型磁石発電機において、
前記レギュレータは、前記複数の放熱フィンを前記ステータ取付けプレートに対向させた状態で配置され、
前記レギュレータ本体をモールドしている樹脂の外面を覆うようにカバーが被せられて該樹脂の外面と該カバーとの間に前記樹脂の外面を横切って前記ステータ取付けプレートの前記通風口に至るモールド樹脂側通風通路が設けられているレギュレータ付きアウターロータ型磁石発電機。
【発明の詳細な説明】
【０００１】
【発明の属する技術分野】
本発明は、レギュレータ付きアウターロータ型磁石発電機に関するものである。
【０００２】
【従来の技術】
図４（Ａ）（Ｂ）〜図６は特開２０００−２２４８２１号に示された従来のレギュレータ付きアウターロータ型磁石発電機の構成を示したもので、図４（Ａ）（Ｂ）はこのレギュレータ付きアウターロータ型磁石発電機の縦断面図及び底面図、図５はこの磁石発電機で用いているレギュレータの正面図、図６はこの磁石発電機で用いているレギュレータをステータ取付けプレートに取付けた状態の底面図である。
【０００３】
このレギュレータ付きアウターロータ型磁石発電機は、環状のステータコア１の外周の各突極１ａに発電コイル２を巻装したステータ３と、該ステータ３の外周をロータヨーク４の筒部４ａが包囲していて該筒部４ａの内周に永久磁石５を支持させたロータ６と、環状のステータコア１を外周に固定している筒状のボス７と、ロータヨーク４の底部４ｂの中心に取り付けられてボス７の内周を複数の軸受８を介して回転自在に貫通する回転軸９と、ロータヨーク４の開口端側で回転軸９に直交する向きで且つ回転軸９を回転自在に貫通させてボス７の端部に一体に設けられているステータ取付けプレート１０と、ロータヨーク４の筒部４ａ内に回転軸９の方向に冷却風が通り抜けるようにステータ取付けプレート１０とロータヨーク４とにそれぞれ周方向に所定の間隔で複数設けられた通風口１１ａ，１１ｂと、各通風口１１ａ，１１ｂを経てロータヨーク４の筒部４ａ内を冷却風が通り抜けるようにロータヨーク４の内周部に複数の羽根部１２を固定して設けられたファン１３と、ロータヨーク４の底部４ｂ側でその外に突出されているボルト構造の回転軸９にその頭部９ａを利用して固定されているプーリ１４と、ステータ取付けプレート１０側にアルミニウム等の金属製のレギュレータホルダー１５を介して取付けられて発電コイル２からの発電出力を調整して図示しないバッテリーに充電するレギュレータ１６とを備えた構造になっている。
【０００４】
ステータコア１は、図示しないがネジでステータ取付けプレート１０に固定されている。各軸受８は、複数のカラー２２で回転軸９の外周に位置決めされている。ボルト構造の回転軸９の先端は、ステータ取付けプレート１０の凹部２３に突出していて平ワッシャ２４，バネワッシャ２５を介してヘキサゴンナット２６でボス９の基端に締結されている。ステータ取付けプレート１０は、ロータヨーク４の筒部４ａの外周を包囲する筒部１０ａと、ロータヨーク４の筒部４ａの開口部側で筒部１０ａの一端を塞ぐ底部１０ｂと、筒部１０ａの外周に突設された取付け鍔部１０ｃとを備えた構造になっていて、底部１０ｂには一方側の複数の通風口１１ａが周方向の所定の間隔で放射状に設けられている。これら通風口１１ａは、底部１０ｂに設けられた複数のリブ２７の間のスリットによりそれぞれ形成されている。他方の各通風口１１ｂは、ロータヨーク４の底部１０ｂ寄り筒部４ａの末端にそれぞれ設けられている。
【０００５】
この磁石発電機では、ステータ取付けプレート１０の底部１０ｂの中央に複数のリブ２７a1と複数の通風口１１a1とが平行に設けられ、これらリブ２７a1と通風口１１a1とが設けられてない両側の部分の一方に、これらリブ２７a1と通風口１１a1とに対して直交する向きに複数のリブ２７a2と複数の通風口１１a2とが平行に設けられている。即ち、通風口１１ａは、この磁石発電機では通風口１１a1と通風口１１a2とで構成されている。また、リブ２７は、この磁石発電機ではリブ２７a1とリブ２７a2とで構成されている。
【０００６】
レギュレータ１６は、レギュレータホルダー１５と、レギュレータホルダーに設けられた凹部１５ａ内に収容されて樹脂１８でモールドされたレギュレータ本体１７とからなっている。レギュレータホルダー１５の凹部１５ａとは反対側の面には複数の放熱フィン２８が形成され、これら放熱フィン２８間にステータ取付けプレート１０の通風口１１a2に冷却風を送り込む複数の放熱フィン間通風通路２９が形成され、各放熱フィン２８と平行する側面には取付け鍔３０が突設された構造になっている。このようなレギュレータ１６は、レギュレータホルダー１５の凹部１５ａをステータ取付けプレート１０側に向けて該ステータ取付けプレート１０の底部１０ｂに、取付け鍔３０を貫通するネジ１９で固定されている。このレギュレータホルダー１５には、外向きになっている各放熱フィン２８を覆うカバー３１が被せられて固定されている。
【０００７】
このようなレギュレータ１６には、発電コイル２の出力を入力する複数の入力端子２０と、このレギュレータ１６から出力を取り出す複数の出力コード２１とが設けられている。
【０００８】
かかるレギュレータ付きアウターロータ型磁石発電機は、ロータヨーク４の回転につれてファン１３の各羽根部１２を回転させ、これら羽根部１２の回転による送風作用により、ステータ取付けプレート１０に設けられた各１１a1，１１a2から外気を吸い込んで、この外気をロータヨーク４の筒部４ａ内に回転軸９に沿って各突極１ａ間の隙間を通し、これによりステータ３及び永久磁石５を冷却し、筒部４ａ内を通り抜けた排気をロータヨーク４の底部１０ｂ寄りの筒部４ａの末端の各通風口１１ｂから外部に排出する。
【０００９】
レギュレータ１６は、そのレギュレータホルダー１５に形成された複数の放熱フィン２８間の通風通路２９を通る冷却風で直接冷却されることになり、効率よく該レギュレータ１５の冷却を行うことができる。この場合、レギュレータホルダー１５には各放熱フィン２８を覆うカバー３１が被せられているので、各放熱フィン２８が外向きに開放されていても、カバー３１で覆うことにより各放熱フィン２８間の通風通路２９の周囲が閉じられて冷却風をレギュレータホルダー１５の表面に沿ってステータ取付けプレート１０の通風口１１a2に確実に送り込むことができる。レギュレータ１６を冷却する冷却風は、ステータ３等を冷却する前の冷却風なので、温度が上昇していず、レギュレータの冷却を良好に行うことができる。
【００１０】
【発明が解決しようとする課題】
しかしながら、上記の如きレギュレータ付きアウターロータ型磁石発電機では、レギュレータ１５の発熱は、内蔵するダイオード又はサイリスタに電流が流れ、これらの素子の内部抵抗によって発生するが、前述した構造ではダイオード又はサイリスタの発熱を直接冷却するものではなく、レギュレータホルダー１５の各放熱フィン２８を介して冷却するものであり、冷却効率がよくない問題点があった。
【００１１】
本発明の目的は、レギュレータの放熱特性をより向上させることができるレギュレータ付きアウターロータ型磁石発電機を提供することにある。
【００１２】
【課題を解決するための手段】
本発明は、環状のステータコアに発電コイルを巻装したステータと、該ステータの外周をロータヨークの筒部が包囲していて該筒部の内周に永久磁石を支持させたロータと、環状のステータコアを外周に固定している筒状のボスと、ロータヨークの底部の中心に取り付けられて前記ボスの内周を軸受を介して回転自在に貫通する回転軸と、ロータヨークの開口端側で回転軸に直交する向きで且つ回転軸を回転自在に貫通させてボスの端部に一体に設けられているステータ取付けプレートと、ロータヨークの筒部内に回転軸の方向に冷却風が通り抜けるようにステータ取付けプレートとロータヨークとにそれぞれ設けられた通風口と、各通風口を経てロータヨークの筒部内を冷却風が通り抜けるようにロータヨーク側に設けられたファンと、ステータ取付けプレート側に設けられて発電コイルからの発電出力を調整するレギュレータとを備え、レギュレータは、レギュレータホルダーと該レギュレータホルダーに設けられた凹部内に組み込まれて樹脂でモールドされたレギュレータ本体とからなっていてステータ取付プレートに固定され、レギュレータホルダーの前記凹部と反対側の面に複数の放熱フィンが形成されて、これら放熱フィン間にステータ取付けプレートの通風口に冷却風を送り込む複数の放熱フィン間通風通路が形成されているレギュレータ付きアウターロータ型磁石発電機にかかわるものである。
【００１３】
本発明に係るレギュレータ付きアウターロータ型磁石発電機では、レギュレータが、レギュレータホルダーの凹部をステータ取付プレート側に向けて配置されていて、レギュレータ本体をモールドしている樹脂の外面がステータ取付けプレートに対向配置され、樹脂の外面とステータ取付プレートとの間に、樹脂の外面を横切ってステータ取付けプレートの通風口に至るモールド樹脂側通風通路が設けられている。
【００１４】
このようにレギュレータの両面に通風通路が設けられていると、レギュレータはこれらの通風通路を通る風により両面から冷却され、該レギュレータの放熱特性をより向上させることができる。それ故、小形で高出力化が可能なレギュレータ付きアウターロータ型磁石発電機を得ることができる。
【００１５】
上記の構成では、レギュレータホルダーの凹部をステータ取付プレート側に向けて配置しているが、複数の放熱フィンをステータ取付けプレートに対向させた状態で配置して、レギュレータ本体をモールドしている樹脂の外面を覆うようにカバーを被せ、樹脂の外面と該カバーとの間に樹脂の外面を横切ってステータ取付けプレートの通風口に至るモールド樹脂側通風通路を設けるようにしてもよい。
【００１６】
【発明の実施の形態】
図１（Ａ）（Ｂ）〜図３は本発明に係るレギュレータ付きアウターロータ型磁石発電機の実施の形態の一例を示したもので、図１（Ａ）（Ｂ）は本例のレギュレータ付きアウターロータ型磁石発電機の縦断面図及び底面図、図２は本例で用いているレギュレータの正面図、図３は本例で用いているレギュレータをステータ取付けプレートに取付けた状態の底面図である。なお、前述した図４（Ａ）（Ｂ）〜図６と対応する部分には、同一符号を付けて示している。
【００１７】
本例のレギュレータ付きアウターロータ型磁石発電機では、レギュレータ１６には放熱フィン２８間を通ってステータ取付けプレート１０の通風口１１a2に至る通風通路２９の他に、モールドされた樹脂１８の外面１８ａを横切ってステータ取付けプレート１０の通風口１１a2に至る通風通路３２が設けられている。レギュレータ１６は、本例ではモールドされた樹脂１８の面１８ａがステータ取付けプレート１０に対向して両者の間に通風通路３２が設けられ、外向きの各放熱フィン２８にはこれらを覆うカバー３１が被せられて通風通路２９が設けられている構造となっている。
【００１８】
このようにレギュレータ１６の両面に通風通路２９，３２が設けられていると、レギュレータ１６はこれらの通風通路２９，３２を通る風により両面から冷却され、該レギュレータ１６の放熱特性をより向上させることができる。それ故、小形で高出力化が可能なレギュレータ付きアウターロータ型磁石発電機を得ることができる。
【００１９】
なお、本発明のレギュレータ付きアウターロータ型磁石発電機は、このような構造に限定されるものではなく、各放熱フィン２８がステータ取付けプレート１０に対向して該放熱フィン２８間に通風通路２９が設けられ、樹脂１８の外面１８ａ側を覆ってカバー３１が被せられて該樹脂１８の面１８ａと該カバー３１との間に通風通路３２が設けられている構造でも、前述した例と同様な効果を得ることができる。
【００２０】
【発明の効果】
本発明に係るレギュレータ付きアウターロータ型磁石発電機では、レギュレータの両面に通風通路を設けているので、レギュレータはこれらの通風通路を通る風により両面から冷却され、該レギュレータの放熱特性をより向上させることができる。それ故、小形で高出力化が可能なレギュレータ付きアウターロータ型磁石発電機を得ることができる。
【図面の簡単な説明】
【図１】  （Ａ）（Ｂ）は本発明に係るレギュレータ付きアウターロータ型磁石発電機の実施の形態の一例を示した縦断面図及び底面図である。
【図２】  本例で用いているレギュレータの正面図である。
【図３】  本例で用いているレギュレータをステータ取付けプレートに取付けた状態の底面図である。
【図４】  （Ａ）（Ｂ）は従来のレギュレータ付きアウターロータ型磁石発電機の構成を示した縦断面図及び底面図である。
【図５】  この磁石発電機で用いているレギュレータの正面図である。
【図６】  この磁石発電機で用いているレギュレータをステータ取付けプレートに取付けた状態の底面図である。
【符号の説明】
１  ステータコア
１ａ  突極
２  発電コイル
３  ステータ
４  ロータヨーク
４ａ  筒部
４ｂ  底部
５  永久磁石
６  ロータ
７  ボス
８  軸受
９  回転軸
９ａ  頭部
１０  ステータ取付けプレート
１０ａ  筒部
１０ｂ  底部
１０ｃ  取付け鍔部
１１ａ，１１ｂ  通風口
１１a1，１１a2  通風口
１２  羽根部
１３  ファン
１４  プーリ
１５  レギュレータホルダー
１５ａ  凹部
１６  レギュレータ
１７  レギュレータ本体
１８  樹脂
１８ａ  面
１９  ネジ
２０  入力端子
２１  出力コード
２２  カラー
２３  凹部
２４  平ワッシャ
２５  バネワッシャ
２６  ヘキサゴンナット
２７  リブ
２７a1，２７a2  リブ
２８  放熱フィン
２９  通風通路
３０  取付け鍔
３１  カバー
３２  通風通路
【図１】
0003855689.tif 000002
【図２】
0003855689.tif 000003
【図３】
0003855689.tif 000004
【図４】
0003855689.tif 000005
【図５】
0003855689.tif 000006
【図６】
0003855689.tif 000007